Podtech/llm-jp-corpus-v4-ja_patent huggingface dataset:
(57)【要約】      （修正有）【課題】調理器（やかん、鍋、フライパン、平台）の料理具材の加熱効果を高め、調理後の冷却（放射熱）を和らげ、地震や振動対策の為の安定保持が可能な調理器を提供する。【解決手段】調理器（鍋、やかん、フライパン、平台）は、本体１の底部を中心依り直径約１３０ｍｍまでを５ｍｍ程度凹ませた凹み部分２と、その凹み部分２に貼ったニクロム線又は、タングステン線３を備え、更に底部のゴトク用の凹み部分の外側の平部分を外周に向かって放射線状に幅３ｍｍ、深さ３ｍｍ程度のゴトク溝４の凹みを２４ヶ所付けた。コンロ等の上に固定して、安定して調理でき、加熱効果と保温効果、調理器の安定効果を複合的に組合せた調理器である。調理時の具材の加熱効果を高め、調理後の具材の冷却を和らげる効果と地震振動等により調理器の転倒を防止し、火災防止にも効果をもたらす。【選択図】図１
0003229962.tif 000002
【実用新案登録請求の範囲】
【請求項１】
調理器（鍋、やかん、フライパン、平台）の本体底部を中心依り直径約１３０ｍｍまでを５ｍｍ程度凹ませ、その凹みの部分にニクロム線又は、タングステン線を貼った加熱効果と保温効果を持った調理器。
【請求項２】
更に底部の凹み部分の外側の平部分を外周に向かって放射線状に幅３ｍｍ、深さ３ｍｍ程度の凹みを２４ヶ所に付け、コンロ等の上に固定して、安定して調理できる工夫を凝らした事に依る地震や振動にも調理器が痕路上から落ちない安定効果を複合的に組合せた調理器。
【考案の詳細な説明】
【技術分野】
【００１】  本考案は、調理器（鍋、やかん、フライパン、平台）の底部中央に凹みを付け、その凹み部分にニクロム線、又はタングステン線を貼付け、更に外側の平らな部分にゴトク上で調理器が安定する凹みを付けた調理器に関するものである。
【背景技術】
【００２】  従来の調理器（鍋、やかん、フライパン）の底部は、アルマイト処理、テフロン処理、丸粒状の模様が施された物があるが、底部を凹ませた形、更に凹み部分にニクロム線やタングステンを貼り付けた物、更にその凹み部分の外側の平らな部分にゴトク用の溝が作られた調理器等は無かった。
その為、調理器中の料理の具材が加熱の際、放射熱が大きく、調理器内の調理物に対する放射熱が大きい為、加熱ロスも大きく、コンロ上の調理器の安定も悪かった。
【先行技術の文献】
【００３】
【特許文献１】実用新案登録願  整理番号２２０４
【００４】
【非特許文献】パール金属（株）商品番号ＨＢ−２４４３、ティファーレ（フランス）
【考案の概要】
【考案が解決しようとする課題】
【００５】  従来の調理器（鍋、やかん、フライパン、平台）の底部は平らで放射熱が大きく、コンロ上の安定も悪かった。
そこで底部中心部に凹みを付け、更にその凹み部分にニクロム線やタングステン線を付けた事に依り、具材の加熱時の熱伝導効率を高める工夫をした。
更にそれらの調理器がコンロ上で調理時に地震や振動を受け、ゴトク上から転落しない様・・又ひっくり返ったりして火事の原因にもなった。
本考案は、それらを解決する為の考案である。
【課題を解結するための手段】
【００６】  本考案は、調理器（鍋、やかん、フライパン、平台）の底部中央から直径１３０ｍｍ程度深さ５ｍｍ程度の凹みを付け、その凹み部分にニクロム線、又はタングステン線を貼付ける事によって、調理器内の具材を温める効果を高め、更にその外側の平らな部分にゴトク上で調理器が安定する凹みを幅３ｍｍ、深さ３ｍｍ程度を放射線状に２４ヶ所程度付ける事に依り、具材等調理時の加熱効率を高める事と調理時に地震や振動を受けてもコンロ上から落ちない様にして問題解決を図った・調理器に関するものである。
【考案の効果】
【００７】  調理器の本体底部を凹ませ、その凹み部にニクロム線又はタングステンを貼り付け、調理具材の加熱効果を高め、調理後の保温効果時間を延ばす事が出来る。
更に底部凹み部分の外側の平ら部分にゴトク上の調理器の安定をさせる放射状の凹みを付ける事に依り、地震や振動に対する調理器の中の具材が毀れ難くし、防火対策、安全対策も向上させる事が出来るものである。
【図面の簡単な説明】
【００８】
【図１】本考案のやかんの平面図、Ａ−Ｂ断面図（正面図）である。
【図２】本考案の鍋の平面図、Ａ−Ｂ断面図（正面図）である。
【図３】本考案のフライパンの平面図、Ａ−Ｂ断面図（正面図）である。
【図４】本考案の平台の平面図、Ａ−Ｂ断面図（正面図）である。
【図５】本考案のやかん、鍋、フライパン等の上の図は、Ａ−Ｂ断面の底部拡大した図で、下の図は、Ｄ−Ｃから見た図である。
【考案を実施する為の形態】
【００９】  調理器（鍋、やかん、フライパン、平台）の本体底部を中心依り直径約１３０ｍｍまでを５ｍｍ程度凹ませ、その凹みの部分にニクロム線又は、タングステン線を貼りつける。
更に底部の凹み部分の外側の平部分を外周に向かって放射線状に幅３ｍｍ、深さ３ｍｍ程度の凹みを２４ヶ所程度付け、コンロ等の上に固定して、安定して調理できる工夫を凝らした。
それらを施す事に依り加熱効果と保温効果、調理器の地震等の振動にもゴトク上に安定さす効果を複合的に組合せた調理器。
【実施例】
【０１０】  以下添付図面に従って実施例を説明する。
▲１▼は、調理器（やかん、鍋、フライパン、平台）の本体、▲２▼は、それらの調理器の底部分で、その底部分の中心に依り、約直径１３０ｍｍの部分を深さ５ｍｍ程度凹ませ、その凹み部分にニクロム線又は、タングステンを約２ｍｍ程度貼り付ける。
▲２▼は、更に中心依り直径１３０ｍｍの外側に幅３ｍｍ、深さ３ｍｍ程度のゴトク安定溝を付け、調理具材の加熱効果と調理器具の調理時の安定を兼ねた複合的な効果を持つ調理器具。【０１１】  ▲３▼は、調理器具の底面に貼り付けたニクロム線又はタングステン線で厚みは２ｍｍ程度として、調理後の調理器が台の上に置かれても底部分が台に密着しない工夫である。【０１２】  ▲４▼は、調理器具の底面中心より直径１３０ｍｍから外側に付けたゴトク溝であり、幅３ｍｍ深さ３ｍｍ程度で縦横に約２４ヶ所程度の深み部分でゴトク安定溝である。
【符号の説明】
【００１３】  １  調理器本体
２  調理器具の底凹み部分
３  調理器具の底面に貼り付けたニクロム線又はタングステン線
４  ゴトク溝
【図１】
0003229962.tif 000003
【図２】
0003229962.tif 000004
【図３】
0003229962.tif 000005
【図４】
0003229962.tif 000006
【図５】
0003229962.tif 000007
【手続補正書】
【提出日】令和2年10月1日(2020.10.1)
【手続補正１】
【補正対象書類名】実用新案登録請求の範囲
【補正対象項目名】全文
【補正方法】変更
【補正の内容】
【実用新案登録請求の範囲】
【請求項１】
調理器（鍋、やかん、フライパン、平台）の本体底部を中心依り直径約１３０ｍｍまでを５ｍｍ程度凹ませ、その凹みの部分にニクロム線又は、タングステン線を貼った加熱効果と保温効果を持った調理器。
【請求項２】
上記本体底部の凹み部分の外側の平部分を外周に向かって放射線状に幅３ｍｍ深さ３ｍｍ程度の凹みを２４ヶ所に付けたことを特徴とする請求項１に記載の調理器。
(57)【要約】      （修正有）【課題】ロール形のトイレットペーパーを、卓上や車内等で利用するための収納箱で、紙の引き出しが容易で、取り出し後の始末も綺麗にできる板バネ形の軸受、及び裁断台を提供する。【解決手段】ロール形のトイレットペーパーの利用箱で、収納したロール紙を空転させないように、板バネ形の軸受５をトイレットペーパーの芯の紙筒にさしこむ。更に次に引き出す紙の先端部分が、自動的に準備される機能をもつカッター４を備えたロール紙の裁断台２を利用箱の上部に載せて用いる。【選択図】図１
0003229966.tif 000002
【実用新案登録請求の範囲】
【請求項１】
軸受を具えたロール形のトイレットペーパーを、卓上等で利用するための収納箱に装備する、ロール紙の引き出しに相応した軸の回転を維持する、バネ板形の軸受。
【請求項２】
ロール形のトイレットペーパーの利用箱に装備する、引き出す紙の先端部分を、十分な長さで自動的に準備できる、刃（カッター）を具えたロール紙の定置台。
【考案の詳細な説明】
【技術分野】
【０００１】トイレットペーパーは、今や巻き形（ロール）を指すようになった。ついては本申請においては、トイレットペーパーを「ロール紙」と表現する。【０００２】本申請は、ロール紙の特長を活かし、利用しやすくした、ロール紙１巻を収納する箱に関するものである。
【背景技術】
【０００３】ロール紙を、トイレット以外の場所でも用いる動機は、ロール紙が優れた特長を具えているからである。即ち、吸水力が高いことやティッシュペーパーではできない下水に流すことが可能なこと、なかでも、その経済性にある。【０００４】ロール紙のサイズは、紙の巾が約１１５ｍｍ、ロールの直径が１１０ｍｍ、芯（紙筒）の直径は４０ｍｍ、紙の長さはシングル巻きで約５０ｍ、ダブル巻きで約２８ｍ、重さは約５０ｇである。【０００５】ロール紙を利用するために、必要な器具は、ロール紙を支える軸受と、カッターである。ここにいう軸とは、ロール紙の芯になる紙の芯筒である。
【考案の概要】
【考案が解決しようとする課題】
【０００６】新らしく引き出すロール紙の先端を、常時見つけやすく、摘みやすい状態を、紙を引き出す作業と同時に、自動的につくりたい。
【課題を解決するための手段】
【０００７】本考案になるロール紙の利用箱の概略は、図１に示す。その利用状態は図２と図３に示す。図３は軸穴側からの断面図である。ロール紙（３）を、重し板（１）と、定置台（２）の間に通し、定置台（２）の先端に装着した刃（４）で、好みの長さに切断する。【０００８】実用新案登録の請求項１は、ロール紙の軸受にバネ板（５）を採用したことである。本考案になるバネ板は、弾力に富むプラスチックの板である（図４）。バネ板を折り曲げて、ロール紙の芯筒に差し入れて用いる（図５）。【０００９】本考案になるバネ板を利用する軸受の特徴は、滑りにくいことにある。滑りにくさをもたらす理由は、軸受の形状が方形・角形であることにある（図４）。【００１０】ロール紙は、もともと軽量で、消費につれて更に軽くなり、軸（芯筒）は回転し易くなる。本考案になるバネ板を利用する軸受は、常に軸（芯筒）を押し上げる（図５）ように働くことで、適度の摩擦を維持する。【００１１】実用新案登録の請求項２は、ロール紙を収納箱から引き出すとき、取り出す紙の先端部分を置くロール紙の定置台（２）を装備したことである。この定置台（板）は、切断用の刃（４）を具える。ロール紙の定置台（２）は、ロール紙の収納箱の縁の上に置くように設計し、装備する。【００１２】ロール紙の先端部分を置く定置台（２）の特徴の第１は、常に引き出す紙の水平を維持することであり、紙の切断に便利である。【００１３】ロール紙の先端部分を置く定置台（２）の特徴の第２は、図３−３の如く、引き出す紙の先端部分が、台上に十分な長さで残り続けることである。（図６）。
【考案の効果】
【００１４】軸受にバネ板を採用したため、ロール紙の軸の無駄な回転が抑えられることになり、定置台（２）上のロール紙が、収納箱に引き込まれることを防ぐ。【００１５】ロール紙の定置台（２）上に、次に引き出す紙の先端部分が見える形（図６−６）で現われ、紙の引き出し作業に連動して、自動的に、現われることになる。これにより、ロール紙の先端部分を探したり、摘まんだりするために、重し板を上げる等の作業が不要になる。
【考案を実施する為の形態】
【００１６】ロール紙の収納箱の素材は、紙や木、プラスチック等が利用できる。箱の大きさは、一辺が約１２ｃｍの立方体である。
【００１７】ロール紙の定置台（２）は、ロール紙の収納箱に、紙やプラスチックの板を折り曲げて貼りつけたり、素材によっては、蝶番を用いたりして、収納箱に装着する。
【００１８】本考案になるバネ板を利用する軸受（図４）の素材は、弾力に富むプラスチック、なかでもポリプロピレン樹脂の板がよい。厚みは約１ｍｍ、巾は３０ｍｍ。長さは、約９０ｍｍで、その約半分はロール紙の収納箱の壁面に貼りつける、糊しろ部分である。
【図面の簡単な説明】
【００１９】
【図１】図１は、本考案になるロール紙の収納・利用箱の斜視図。
【図２】図２は、ロール紙を利用箱に収納した状態を示す透視図。
【図３】図３は、ロール紙の芯の軸穴側から見た断面図。
【図４】図４は、バネ式軸受の平面図。
【図５】図５は、ロール紙の収納箱にあって、バネ式軸受の作用を示す断面図。
【図６】図６は、ロール紙の利用箱の上面図で、重し板（１）と定置台（板）の重なりを示し、重し板の先端（線）と刃先（線）との差によって、ロール紙の先端部分が現われる状態を示す。
【符号の説明】
【００２０】１……重し板
２……ロール紙の定置台（板）
３……ロール紙
４……刃（カッター）
５……バネ式軸受
６……ロール紙の先端部分
７……ロール紙が重し板に隠れた部分
【図１】
0003229966.tif 000003
【図２】
0003229966.tif 000004
【図３】
0003229966.tif 000005
【図４】
0003229966.tif 000006
【図５】
0003229966.tif 000007
【図６】
0003229966.tif 000008
【手続補正書】
【提出日】令和2年9月29日(2020.9.29)
【手続補正１】
【補正対象書類名】実用新案登録請求の範囲
【補正対象項目名】全文
【補正方法】変更
【補正の内容】
【実用新案登録請求の範囲】
【請求項１】
トイレットペーパーの芯の紙筒にさしこんで用いる、板バネ形の軸受。
【請求項２】
ロール形トイレットペーパーの利用箱の上部に載せて用いる、カッターを具えた、紙の裁断台。
(57)【要約】      （修正有）【課題】傘内部に滞留する暖気を排出するとともに、風による傘やさす人への負荷を削減できる傘を提供する。【解決手段】洋傘本体の天布頂点周囲を刳り抜いて作った通気口３の上に天傘を施し、主に日傘として使用する際に傘の内部に上昇した不快な暖気を通気口をとおして外部に排出させる。天傘は通気孔から差し込む太陽光や突然の雨から傘内部を保護する。天傘と傘本体を覆う天布の間は、傘内部に澱んだ暖気の排気道の役割を果す。傘全体の開閉に際しては、傘本体の親骨と天傘の間に施した支え骨の両端に角度調整具のダボ４を取り付けることで、一体の傘として作用し同時に開閉する。【選択図】図４
0003229965.tif 000002
【実用新案登録請求の範囲】
【請求項１】
洋傘本体の天布の頂点を刳りぬき通気孔を作る、
主に日傘として使用する際に傘の内部に上昇する不快な暖気が自然に外に排出できるようにするもの、その際に通気孔から差し込む太陽光や突然の雨を防ぐために通気孔の上に天傘を設け、その間を空気が通り抜ける、
傘を開閉する際の天傘の骨と本体の親骨の動きを連動させ、同時に作動させる連動開閉式通気孔付傘。
【考案の詳細な説明】
【技術分野】
【０００１】  傘内部の通気を自在に排出できるようにすることにより、内部に澱む不快な暖気を取り除き快適な傘内の環境を作り出し、熱中症などから使用者の健康を守るほか、強風のときなどに風が傘の内部を抵抗なく吹き抜けることによって、使用者および傘に対する負荷を減ずることができる付加機能を有する。
【背景技術】
【０００２】  本考案は、特に技術としての新たなものではなく、自然原則の応用であり、直接にかかわる技術背景はない。
【先行特許技術文献】
゛
【特許文献】
【０００３】
【特許文献１】見当たらない。
【非特許文献】
【０００４】
【非特許文献１】見当たらない。
【考案の概要】
【考案が解消しようとする課題】
【０００５】  特に真夏の暑い日に長時間に渡るゴルフなどのプレヤーやギャラリーの悩みである暑さ対策および健康問題を解消するもの。
【課題を解消するための手段】
【０００６】  傘本体の天布頂点の部を大胆にくりぬき、気圧変動による自然な通気の流れを換気手段として用いたもの。
【考案の効果】
【０００７】  特に真夏のゴルフプレーヤ―やギャラリーが、移動の際に使用する傘の中に滞留する不快な暖気は悩みの一つとなっている、時には熱中症で倒れる人がでることもある、これを空気の自然換気により放出され傘の中の環境を整え快適な環境をつくることができる、
強風のときには傘が風に対抗することなく放出されるので傘を差している人の負荷軽減をはかることができる。
【図面の簡単な説明】
【０００８】
【図１】  平面図、上から見た投影図、ここでは天傘の形状および配置を表している、
【図２】  平面図、［図１］の天傘の下の天布を切り抜いた通気孔の形を表したもの
【図３】  開いた傘を垂直に立てたときを正面から見たず図、その他背面、左側面、右側面とも同じ形状のため、正面図以外は省略してある
【図４】  参考図、傘中央部を縦に切断した断面図で、本考案に掛る申請部分と従来の傘の取合いおよび図の名称、機能等の説明したもの
【図５】  前図４の天傘右部分を強調した拡大図面、左右は対等
【考案を実施するための形態】
【０００９】  傘の上部に滞留する暖気を最も効率よく除去するために、従来の天布の中心部分を刳いて通気孔にした、
通気孔から太陽光や雨が差し込まないように屋根を施し、内部に滞留した空気が気圧差により自然換気して天傘と天布の間を通り換気される、
天骨と従来部分の親骨の動きを連動させワンタッチで、同時に開閉が可能とした。
【実施例】
【００１０】  傘本体の天布最上部を切り抜き通気孔を開け、通気孔から差し込む直射光や通り雨などを防ぐための天傘を設ける。【００１１】  傘内部の暖気は温度差により上昇し、天傘と傘本体の天布との間から常に排出される。【００１２】  天傘に施こされている天骨は傘本体の親骨と連動して、双方を一体として傘を開閉し閉じると一本の傘の状態で収納される。
【符号の説明】
【００１３】▲１▼  天ろくろ、天骨と天布の司となるとともに傘の開閉の際の調整を行う
▲２▼  天屋根を総称した呼称
▲３▼  支え骨、傘本体の親骨が天骨を支え、両端に取付けたダボにより双方の動きを連動させ同時に開閉を行う
▲４▼  ダボ、角度調整連動器具
▲５▼  通気孔の位置を示す
【図１】
0003229965.tif 000003
【図２】
0003229965.tif 000004
【図３】
0003229965.tif 000005
【図４】
0003229965.tif 000006
【手続補正書】
【提出日】令和2年9月29日(2020.9.29)
【手続補正１】
【補正対象書類名】実用新案登録請求の範囲
【補正対象項目名】全文
【補正方法】変更
【補正の内容】
【実用新案登録請求の範囲】
【請求項１】
洋傘本体の天布頂点周囲を刳り抜いて作った通気口の上に天傘を施し、主に日傘として使用する際に傘の内部に上昇した不快な暖気を前記通気口をとおして自然に外部に排出させる、その際、前記天傘は通気孔から差し込む太陽光や突然の雨から傘内部を保護する構成になっている、
天傘と傘本体を覆う天布の間は、傘内部に澱んだ暖気の排気道としての役割を果す、
傘全体の開閉に際しては、傘本体の親骨と天傘の間に施した支え骨の両端に角度調整具のダボを取り付けることで、双方は一体の傘として作用し同時に開閉をはかる連動開閉式通気孔付傘。
【手続補正２】
【補正対象書類名】明細書
【補正対象項目名】０００８
【補正方法】変更
【補正の内容】
【０００８】
【図１】  傘の従来部分を含め上からの投影図、中央部に向かって小さい多角形が天傘次の円形が刳り抜いた部分の通気口の位置、中央部小円がシャフトの位置を表す、
【図２】  図１の裏面、
【図３】  正面から見た中央部の断面図、同様に右側面、左側面、背面を通して見た中央部断面は全て共通のため記載を省略した、
【図４】  参考図１  各部分の説明
【図５】  参考図２  中央部断面拡大図による部署の説明
【手続補正３】
【補正対象書類名】明細書
【補正対象項目名】００１３
【補正方法】変更
【補正の内容】
【００１３】［符号１］      天屋根、  符号２から５までの部分の総称
［符号２］      天ろくろ、天骨と天屋根布の上端を束ね、天傘の上下への開き角度の調                        整を行う
［符号３］      支え骨、親骨が天骨を支えるとともに両者の開閉角度の調整を行う
［符号４］      ダボ、    天傘の動きおよび開き角度の調整具、ストッパー
［符号５］      通気口    既存傘の天布をくり抜いた部分
【手続補正４】
【補正対象書類名】図面
【補正対象項目名】全図
【補正方法】変更
【補正の内容】
【図１】
0003229965.tif 000007
【図２】
0003229965.tif 000008
【図３】
0003229965.tif 000009
【図４】
0003229965.tif 000010
【図５】
0003229965.tif 000011
(57)【要約】      （修正有）【課題】津波や高波による災害現場より迅速に移動及び長期間安全を確保する事ができる救命電動ボートを提供する。【解決手段】多層で複数のアルミ蒸着シート製袋を含んで構成される救命電動ボートであって、本体内に複数の逆止弁付アルミ蒸着バルーン６を有する救命電動ボートであって、電動エアポンプ１の電源ＳＷ２を操作して、電源３から供給した電力で空気をホース４より本体５の複数のアルミ蒸着バルーンに充填し、複数のアルミ蒸着シート製袋７に挿入し、復原性用重り８を複数セットする。ＲＣ（Ｒａｄｉｏ  Ｃｏｎｔｒｏｌ）パネル９の電源ＳＷ１０を操作して、電源１１から供給した電力で電動水上ミニバイク１２を無線により操縦及び制御する。【選択図】図１
0003229062.tif 000002
【実用新案登録請求の範囲】
【請求項１】
多層で複数のアルミ蒸着シート製袋及び電動水上ミニバイクを含んで構成される救命電動ボートであって、複数のマイラー（アルミ蒸着）バルーンを本体内に挿入されることを特徴とする救命電動ボート
【考案の詳細な説明】
【考案の詳細な説明】
【技術分野】
【０００１】  保案機械器具分野
【背景技術】
【０００２】  従来、身体装着や浮輪及び乗船用救命浮袋はあったが、保案機器としての機能が低く、活用するのに制限があった。
【考案の開示】
【考案が解決しようとする課題】
【０００３】  本案は、その欠点を除いて、しかも機能を活かした救命電動ボートを開発しようとするものである。
【課題を解決するための手段】
【０００４】  いま、その解決手段を図面を追いながら説明すれば
（イ）  電動エアポンプ（１）の電源ＳＷ（２）を操作して、電源（３）から供給した電力で空気をホース（４）より本体（５）の複数のマイラー（アルミ蒸着）バルーン（６）に充填し、複数のアルミ蒸着シート製袋（７）に挿入する。復原性用重り（８）を複数セットする。
（ロ）  ＲＣ（Ｒａｄｉｏ  Ｃｏｎｔｒｏｌ）パネル（９）の電源ＳＷ（１０）を操作して、電源（１１）から供給した電力で電動水上ミニバイク（１２）を無線により操縦及び制御する。
（ハ）  電動エアポンプ（１）が誤動作を起こした場合、手動用空気ポンプ（１３）を使用する。
【考案の効果】
【０００５】  本案は、以上のような構造であるから、これを使用する事により、多層で複数のマイラー（アルミ蒸着）バルーン及びアルミ蒸着シート製袋が支水隔壁の役割をして、水密区画され長期間沈没しない様にできる救命電動ボートである。
【考案を実施するための最良の形態】
【実施例】
【０００６】  なお、本案の実施にあたって次の如きことができる。
（イ）  多層で複数のマイラー（アルミ蒸着）バルーン（６）及びアルミ蒸着シート製袋（７）を本体（５）に挿入し、電動水上ミニバイク（１２）によって、寝たきり老人や病人及び被災者を津波や高波による災害現場より、迅速に移動及び長期間安全を確保する事ができる。
【図面の簡単な説明】
【０００７】
【図１】  本考案の救命電動ボートの正面図
【符号の説明】
【０００８】（１）電動エアポンプ（２）電源ＳＷ（３）電源（４）ホース（５）本体（６）マイラー（アルミ蒸着）バルーン（７）アルミ蒸着シート製袋（８）復原性用重り（９）ＲＣ（Ｒａｄｉｏ  Ｃｏｎｔｒｏｌ）パネル（１０）電源ＳＷ（１１）電源（１２）電動水上ミニバイク（１３）手動用空気ポンプ
【図１】
0003229062.tif 000003
【手続補正書】
【提出日】令和2年5月12日(2020.5.12)
【手続補正１】
【補正対象書類名】実用新案登録請求の範囲
【補正対象項目名】全文
【補正方法】変更
【補正の内容】
【実用新案登録請求の範囲】
【請求項１】
多層で複数の逆止弁付アルミ蒸着バルーン及びアルミ蒸着シート製袋が支水隔壁の役割をして、水密区画される救命電動ボートであって、本体内に水上を無線により移動する動力を有することを特徴とする救命電動ボート
【手続補正書】
【提出日】令和2年8月7日(2020.8.7)
【手続補正１】
【補正対象書類名】実用新案登録請求の範囲
【補正対象項目名】全文
【補正方法】変更
【補正の内容】
【実用新案登録請求の範囲】
【請求項１】
多層で複数のアルミ蒸着シート製袋を含んで構成される救命電動ボートであって、本体内に複数の逆止弁付アルミ蒸着バルーンを有することを特徴とする救命電動ボート
(57)【要約】      （修正有）【課題】全方位の空間および表面の殺菌を可能にする、移動式殺菌灯点灯装置を提供する。【解決手段】移動式殺菌灯点灯装置は、全方位に向けて設置した数本の殺菌灯Ａの点灯および消灯を制御するための時間を制御できる操作タイマーＣとＤを有し、殺菌灯の点灯を周知するための回転灯Ｆと警告音Ｇを搭載する。【選択図】図１
0003229067.tif 000002
【実用新案登録請求の範囲】
【請求項１】
殺菌灯を保持する構造部と、
前記殺菌灯の発光と消灯を制御する制御部と、
点灯時間及び点灯開始時間を設定できるタイマーと、
前記操作タイマーを制御する制御部と、
前記構造部および発光部、前記制御部および前記操作タイマーとその制御部を搭載した移動手段を備えることを特徴とする移動式殺菌灯点灯装置。
【請求項２】
請求項１に記載の移動式殺菌灯点灯装置において、前記殺菌灯を縦もしくは横に１本ないし数本を配置し、全方位の空間および表面の殺菌を可能とした、移動式殺菌灯点灯装置。
【請求項３】
請求項１に記載の移動式殺菌灯点灯装置において、前記操作タイマーで点灯時間および点灯開始時間を設定できる移動式殺菌灯点灯装置。
【請求項４】
請求項１に記載の移動式殺菌灯点灯装置において、前記操作タイマーで殺菌灯が点灯していることを警告するための回転灯を搭載した移動式殺菌灯点灯装置。
【請求項５】
請求項１に記載の移動式殺菌灯点灯装置において、前記操作タイマーで殺菌灯が点灯していることを警告するための警告音を搭載した移動式殺菌灯点灯装置。
【請求項６】
請求項１に記載の移動式殺菌灯点灯装置において、殺菌灯を保護する為の保護カバーを搭載した移動式殺菌灯点灯装置。
【考案の詳細な説明】
【技術分野】
【０００１】本考案は、紫外線殺菌灯により空間および表面を除菌、殺菌する、移動式殺菌灯点灯装置に関する。
【背景技術】
【０００２】近年、細菌、ウィルスなどの感染症の被害が増加する傾向にあり、病院等の医療施設、介護施設、多く人が利用する商業施設、宿泊施設、公共施設など、広範囲に清潔な状態を保たなければならない場所において、人の手作業による除菌作業にかかる時間と労力は膨大なものになってきている。特に病院やホテルなど、数日もしくは数週間で多数の人の出入りがありながら、個別に清掃・殺菌しなければならないような場所では、業者による一斉消毒などの大掛かりな殺菌作業が難しく、空いた部屋から順に手作業で消毒・殺菌を行っている。
【先行技術文献】
【特許文献】
【０００３】
【特許文献１】特開２０１０−２０７２７８
【考案の概要】
【考案が解決しようとする課題】
【０００４】医療施設や宿泊施設など、頻繁に大掛かりな消毒作業ができないが、常に清潔な状態を保たなければならない場所において、広範囲の消毒・殺菌作業は、人の力だけでは時間も労力も必要となり、作業を行う従業員や業者の作業員にとって、またそのコストを負担する経営側にも負担となっている。さらに、消毒作業中の万が一の感染リスクも負わなければならず、作業する人間の精神的な負担にもつながっていた。このため人間の手を煩わせず、短い時間でその部屋に誰もいなくても全方位の空間及び床などの表面の殺菌が出来る装置、方法を提供する。
【課題を解決するための手段】
【０００５】本考案は、数本の殺菌灯を縦または横に円形に配置し、全方向に紫外線を照射できる殺菌灯点灯装置であり、簡単に移動できるようにキャスター付きの台車と一体化させ、安全性のため点灯を開始する際の時間を制御する操作タイマーと殺菌灯が点灯指定ことを周知するための回転灯、警告音を有する全方位型移動式殺菌灯点灯装置を提供する。この装置より放射される紫外線により対象の空間及び机や床などの表面を殺菌させることで、労力や感染リスクを軽減し短時間で殺菌作業を終了できる手段を提供することによって、問題を解決したものである。
【考案の効果】
【０００６】本考案により、殺菌作業に従事する労力と感染リスクの軽減のみならず、室内の空気の殺菌も可能になり、短時間で感染症の予防ができる。
【図面の簡単な説明】
【０００７】
【図１】上部に殺菌灯を配置した全方位紫外線を照射できる移動式殺菌灯点灯装置の斜位図
【考案を実施するための形態】
【０００８】本考案に基づく全方位型移動式殺菌灯点灯装置を図１を用いて説明する。
【実施例】
【０００９】数本の殺菌灯Ａを３６０度全方向に紫外線を照射できるように円形に設置し、その点灯及び消灯を制御する電源スイッチＢを有する。【００１０】始動スイッチＥを起動してから紫外線が照射されるまで、操作する人間がその場を離れる時間を作るための時差用操作タイマーＣを備えることで、安全性を確保する。【００１１】点灯してから消灯するまでの時間を制御する点灯時間操作タイマーＤを備えることで、自動的に消灯する。【００１２】殺菌灯の点灯を周知するための回転灯Ｆを備える。【００１３】殺菌灯の点灯を周知するための警告音Ｇを備える。【００１４】殺菌灯を保護するための保護カバーＨを備える。【００１５】移動が簡単に行えるように移動用台座Ｉを備える。
【符号の説明】
【００１６】Ａ・・・・・・・・・・殺菌灯
Ｂ・・・・・・・・・・電源スイッチ
Ｃ・・・・・・・・・・点灯開始操作タイマー
Ｄ・・・・・・・・・・点灯時間操作タイマー
Ｅ・・・・・・・・・・始動スイッチ
Ｆ・・・・・・・・・・回転灯
Ｇ・・・・・・・・・・警告音（本体内部に搭載）
Ｈ・・・・・・・・・・保護カバー
Ｉ・・・・・・・・・・移動台座
【図１】
0003229067.tif 000003
(57)【要約】      （修正有）【課題】構造が極めて簡易で、安価に製作できる脚カバーを提供する。【解決手段】脚カバー１は、上２ａが開口され底２ｂが塞がれた従来の布製の脚カバーと同等の布製脚カバー２と布製脚カバー２の内側又は外側に配されて布製脚カバー２に固着されたストッパー板装着部３とから成り、ストッパー板装着部３は、底３ｂが布製脚カバー２の底２ｂに位置し、かつ、内部にプラスチック製又はその他の材質のストッパー板４を底４ｂがストッパー板装着部３の底３ｂに位置して装着し布製脚カバー２に固着する。布製脚カバー２の底２ｂと床面との間に生じる摩擦による張力に対して、ストッパー板４の底４ｂが床面に接してストッパーの役目をするので、布製脚カバー２は、脚から抜けない。【選択図】図１
0003229002.tif 000002
【実用新案登録請求の範囲】
【請求項１】
椅子やテーブルの脚カバーであって、上が開口され底が塞がれた従来の布製の脚カバーと同等の布製脚カバーと、該布製脚カバーの内側又は外側に配されて前記布製脚カバーに固着されたストッパー板装着部とから成り、前記ストッパー板装着部は、底が前記布製脚カバーの底に位置し、かつ、内部にプラスチック製又はその他の材質のストッパー板を底が前記ストッパー板装着部の底に位置して装着し前記布製脚カバーに固着したことを特徴とする脚カバー。
【考案の詳細な説明】
【考案の詳細な説明】
【技術分野】
【０００１】  本考案は、椅子やテーブルの脚カバーに関するものである。
【背景技術】
【０００２】  従来、椅子やテーブルの布製の脚カバーは、動かす際に、前記脚カバーの底面と床面との摩擦によって受ける張力でやがて抜けてしまう欠点があった。【０００３】  上記欠点を無くすために、ねじ又はピン、或いは両面接着テープで脚カバーの左右側面を固定するようにしたものがある（下記特許文献１参照）。
さらに、脚カバーの内周面に、所定の間隔をあけて複数のすべり止め部材を点溶着すると共に、脚カバーの内面底部とそれを装着する椅子等の脚の先端面に、互いが係止するようにしたものなどがある（下記特許文献２参照）。
【先行技術文献】
【特許文献】
【０００４】
【特許文献１】特許第４７８２８８５号
【特許文献２】実用新案登録第３１８７２３３号
【考案の概要】
【考案が解決しようとする課題】
【０００５】  椅子やテーブルの従来の布製の脚カバーは、動かす際に、前記脚カバーの底面と床面との摩擦によって受ける張力でやがて抜けてしまう欠点があった。
そこで、その欠点を無くすために上記したとおりの方法で、脚カバーとそれを装着する椅子やテーブルの脚とを固定し或いは係止するようにしたものがある。
しかし、これらのものは、構造が複雑になるうえ、着脱が不便であるなどの課題がある。
【課題を解決するための手段】
【０００６】  本考案の脚カバー１は、上記課題を解決する椅子やテーブルの脚カバーであって、上２ａが開口され底２ｂが塞がれた従来の布製の脚カバーと同等の布製脚カバー２と、布製脚カバー２の内側又は外側に配されて布製脚カバー２に固着されたストッパー板装着部３とから成り、前記ストッパー板装着部３は、底３ｂが布製脚カバー２の底２ｂに位置し、かつ、内部にプラスチック製又はその他の材質のストッパー板４を底４ｂがストッパー板装着部３の底３ｂに位置して装着し布製脚カバー２に固着したことを特徴とするものである。
さらに、布製脚カバー２は、伸縮性を持たせかつ比較的ゆるめの従来の布製の脚カバーと同様の素材であっても下記考案の効果が発揮されるのでその素材を厳選する必要性が無いうえ、装着する椅子やテーブルの脚の形状に合わせてその形状を選ぶことができる。
また、ストッパー板装着部３は、例えば、脚カバー１の一実施例を示す外観図である図１のように、布製脚カバー２に、布製脚カバー２の外側にストッパー板装着部３の底３ｂを布製脚カバー２の底２ｂに位置して配し固着し、さらには、布製脚カバー２の少なくとも左右両面に配し、また、布製脚カバー２の外側ではなく、内側に配しても良い。
また、ストッパー板装着部３は、その内部に、ストッパー板４を底４ｂがストッパー板装着部３の底３ｂに位置して配し装着し布製脚カバー２に固着する。
また、ストッパー板装着部３は、布製脚カバー２の内側に配し、ストッパー板４をその底４ｂを布製脚カバー２の底２ｂの内面に付けて装着し布製脚カバー２に固着するのが好ましい。
また、ストッパー板装着部３は、そこに装着するストッパー板４を、底４ｂを布製脚カバー２の底２ａに合わせて布製脚カバー２に直付けしその上を布などで覆ってもよく、または、ストッパー板４を布で覆って該布を布製脚カバー２に接着或いは縫い付けるなどしてストッパー板４を布製脚カバー２に固着するようにするなど、その固着方法を限定しない。
また、布製脚カバー２及びストッパー板装着部３は、図１の長方形の他、例えば湾曲形状のものなど、椅子やテーブルの脚の形状に合わせた形であってもよい。
また、ストッパー板４は、椅子やテーブルを動かす際に受ける布製脚カバー２の底２ｂと床面との摩擦によって生じる張力に耐えられる強度があれば、例えばプラスチック製又はその他の材質の薄板で良く、それらの素材を限定しない。
【考案の効果】
【０００７】  本考案の脚カバー１は、脚カバー１とそれを装着する椅子やテーブルの脚とを固定し或いは係止するなどを必要としないので、その構造が極めて簡易で、従来の布製の脚カバーとほぼ同様に安価に制作できる。
さらに、椅子やテーブルの脚に装着した状態で前記脚を床面をこするように動かしても、その際に布製脚カバー２が受ける布製脚カバー２の底２ｂと床面との間に生じる横方向の摩擦による張力に対して、ストッパー板４の底４ｂが床面に接してそれより下方に移動せず、ストッパー板４が前記張力を抑制するいわゆるストッパーの役目をするので、布製脚カバー２は前記脚から抜けない。即ち、その結果、脚カバー１は前記脚から抜けない。
この作用効果は布製脚カバー２にストッパー板４が固着された状態では保たれるので、脚カバー１はそれが装着された椅子やテーブルの脚を床面をこするように動かしても抜けることはない。
また、それであるのに構造が複雑にならないうえ、従来の布製の脚カバーとほぼ同じ感覚で着脱が容易にでき洗濯などをも容易にする。
【図面の簡単な説明】
【０００８】
【図１】  本考案の脚カバー１の一実施例の外観図である。
【符号の説明】  １    脚カバー
２    布製脚カバー
２ａ  布製脚カバー２の上
２ｂ  布製脚カバー２の底
３    ストッパー板装着部
３ｂ  ストッパー板装着部３の底
４    ストッパー板
４ｂ  ストッパー板４の底
【図１】
0003229002.tif 000003
(57)【要約】      （修正有）【課題】抗菌の扇子うちわは販売されているが抗ウイルスの機能を同時に持つ扇子うちわは無い。本考案は抗ウイルス機能を持つ扇子地紙を提供する。【解決手段】扇子地紙１に消石灰水溶液を塗布し、多孔性の塗布膜を形成する。塗膜内部は強アルカリ性で、多数の細孔５があり、ウイルス３を含む飛沫４が付着すると消石灰が溶出した水溶液６が形成されウイルスの機能を失なわせる。加工した扇子を開いて使用すると涼しい風量が得られるのと同時に抗ウイルス、消臭、抗菌などの効果も発揮する。扇子を閉じていても効果はあるが開くとより一層効果を発揮する。【選択図】図２
0003229001.tif 000002
【実用新案登録請求の範囲】
【請求項１】
表面に消石灰水溶液の多孔質塗布膜が形成された扇子地紙。
【考案の詳細な説明】
【技術分野】
【０００１】  本考案は、「抗ウイルス  消臭  抗菌」などの特殊機能を持つ扇子地紙に関するものである。
【背景技術】
【０００２】  コロナウイルスが流行している２０２０年夏、ただでさえ暑いのに公共の場や交通機関内でもマスク着用を強制される。そこで扇子や団扇を使用するとまるでウイルスを巻き散らしているかのような冷たい目で見られることがある。
【先行技術文献】
【特許文献】
【０００３】
【特許文献１】特開２０１４−０５５２７０
【０００４】
【非特許文献１】販促イベント屋  抗菌ポリうちわ  ｈｔｔｐｓ：／／ｓｔｏｒｅ．ｓｈｏｐｐｉｎｇ．ｙａｈｏｏ．ｃｏ．ｊｐ／ｅｖｅｎｔ−ｙａ／ｎｏ−２１４４９．ｈｔｍｌ？ｓｃ＿ｉ＝ｓｈｐ＿ｐｃ＿ｓｅａｒｃｈ＿ｉｔｅｍｌｉｓｔ＿ｓｈｓｒｇ＿ｔｉｔｌｅ
【非特許文献２】ｅｌｍｕｎｄｏ  扇子  女性用  Ｎａｔｔｉ  レディース  抗菌  消臭  扇子袋  ｈｔｔｐｓ：／／ｉｔｅｍ．ｒａｋｕｔｅｎ．ｃｏ．ｊｐ／ｅｌｍｕｎｄｏｆｏｏｄｓ／ｆ００３７３／
【考案の概要】
【考案が解決しようとする課題】
【０００５】  上記文献には抗菌の扇子うちわは記載されているが抗ウイルスの機能を同時に持つ扇子うちわは無い。本考案は抗ウイルス機能を持つ扇子地紙を提供することを目的とする。
【課題を解決するための手段】
【０００６】  本考案者は、抗ウイルス機能を持つ扇子地紙を作るためにいろいろ調べ、鳥インフルエンザや口蹄疫問題で殺処分した鳥や牛を埋却作業した土壌に消石灰を撒き殺菌消毒出来ることを知り消石灰を扇子地紙に塗布することを思い付いた。紫外線や柿渋などに抗菌や消臭の作用はあるが抗ウイルス作用は無い。本考案者は、消石灰の水溶液を扇子地紙に塗布しその扇子を試験機関に提出し「抗ウイルス  消臭  抗菌  有害物質吸着除去」の機能を有する事も証明された。本考案は、上記検討に鑑み、消石灰溶液の表面に多孔質塗布膜が形成された扇子地紙を提供するものである。
【考案の効果】
【０００７】  本考案は、特殊機能を持つ消石灰水溶液を扇子製造工程で妨げがでないように加工し扇子専用地紙に塗布することにより、扇子として仕上げたときにその特殊機能を発揮する事が出来る。消石灰水溶液を塗布することにより扇子地紙の表面に薄い多孔質の塗膜が張る。塗膜の表層は空気中の二酸化炭素と反応して中性化しているので人が触れても問題ないが塗膜中には強アルカリの成分が残存しており、本考案の地紙で制作した扇子は抗ウイルス、消臭、抗菌、有害物質吸着除去機能効果を同時に発揮させる。
【図面の簡単な説明】
【０００８】
【図１】本考案実施例の扇子地紙の正面図である。
【図２】扇子地紙の塗布面の部分拡大断面図である。
【図３】この地紙で制作した扇子の部分断面図である。
【考案を実施するための形態】
【０００９】  本考案の扇子地紙を用いて作成した扇子を開いて通常通りあおいで使用すると涼しい風量が得られるのと同時に抗ウイルス  消臭  抗菌などの効果も発揮する。扇子を閉じていても効果はあるが開くとより一層効果を発揮する。
【実施例】
【００１０】  ［図１］は扇子地紙１の表面に消石灰水溶液の塗布膜２が形成された状態を示す。扇子地紙１は弊社で和紙を重ね合わせて扇骨が入るように加工した地紙である。本考案の［図１］で示す扇子地紙で作成した扇子［図２］の塗膜内部は強アルカリ性で、多数の細孔５がある。その細孔５にウイルス３が付着するとウイルス３周囲の飛沫（ウイルスを覆う水分）４により消石灰が溶出した水溶液６が形成され、ウイルス３も強アルカリ性になる。ウイルス３はタンパク質と核酸で構成されているので強アルカリ性に変性すると細胞膜に吸着する機能を失い機能しなくなる。上記の理由から扇子をあおぐとその周辺のウイルス３を塗布膜２でキャッチしてウイルス３の機能を失わせる事になる。人と会話するときに自分の口元を扇子で覆うようにしても同様の効果が得られる。【００１１】  扇子地紙１を折加工し扇骨を挿して完成させた扇子の部分断面図が［図３］である。扇子地紙１の表面に塗膜２加工を施すと折山８、折谷９に割れが生じることがある。本考案は、消石灰水溶液塗布膜２を折工程で割れたりしないよう厚みと柔軟性を工夫して塗布している。【００１２】本考案の地紙で製造された扇子は下記の効果が発揮される。
＜抗ウイルス＞
・消石灰水溶液塗布膜２は強アルカリ性の成分ですので、ウイルスが生きていけない。
・インフルエンザウイルスなどにも強く、消石灰水溶液塗布膜２に付着すれば不活性化する事が出来る。【００１３】＜消臭機能＞
・汗臭，加齢臭，タバコ臭，ペット臭，排泄臭などの生活酸性臭を消石灰水溶液塗布膜２で吸着し分解する。
・扇子用香水の香りは酸性臭ではないので妨げない。【００１４】＜抗菌＞
・消石灰水溶液塗布膜２は強アルカリ性の素材なので、細菌の生育・増殖を抑制する。
・消石灰水溶液塗布膜２はカビや細菌（大腸菌、Ｏ−１５７等）などの微生物が生育できない環境。【００１５】＜有害物質吸着除去機能＞
・ホルムアルデヒドを消石灰水溶液塗布膜２で吸着無害化し、トルエン、キシレン等も吸着除去する。
【符号の説明】
【００１６】１  扇子用地紙
２  消石灰水溶液塗布膜
３  ウイルス
４  飛沫（ウイルスを覆う水分）
５  強アルカリ性塗膜細孔
６  ウイルスを覆う水分によって消石灰が溶出した水溶液
７  扇骨
８  折山
９  折谷
【図１】
0003229001.tif 000003
【図２】
0003229001.tif 000004
【図３】
0003229001.tif 000005
(57)【要約】      （修正有）【課題】滑らかな平面であればどこでも取り付けて接続して使用できる斬新な構造で、平面状部材との接続により自在回転ができる自在継手を提供する。【解決手段】押釦３は吸盤１に固定され、押釦の吸盤からの遠位端の一側はＴ字形リベット８を介して回転可能なＵ字形金具２２に回動可能に接続される。回転可能なＵ字形金具のＵ字形開口部は押釦と反対の側に向けて設置され、回転可能なＵ字形金具の２つの側板には貫通している回転孔２２−１がいずれも開設され、回転孔内にはグラブねじ軸７が挿通される。Ｔ字形リベットはグラブねじ軸に垂直に設置され、吸盤には吸盤内の空気を吸引除去する吸引ポンプ２が取り付けられ、押釦は４つの皿ねじ４を介して吸盤に固定され、回転可能なＵ字形金具と押釦との間にプレーンベアリング５が設置される。Ｔ字形リベットはプレーンベアリングを挿通して吸盤に接続され、Ｔ字形リベットにはフラットパッド１２が挿設され、フラットパッドは押釦と吸盤との間に設置される。【選択図】図１
0003229055.tif 000002
【実用新案登録請求の範囲】
【請求項１】
押釦（３）と回転可能なＵ字形金具（２２）を含み、
前記押釦（３）は吸盤（１）に固定され、押釦（３）の吸盤（１）からの遠位端の一側はＴ字形リベット（８）を介して回転可能なＵ字形金具（２２）に回動可能に接続され、回転可能なＵ字形金具（２２）のＵ字形開口部は押釦（３）と反対の側に向けて設置され、回転可能なＵ字形金具（２２）の２つの側板には貫通している回転孔（２２−１）がいずれも開設され、回転孔（２２−１）内にはグラブねじ軸（７）が挿通され、Ｔ字形リベット（８）はグラブねじ軸（７）に垂直に設置され、吸盤（１）には吸盤（１）内の空気を吸引除去する吸引ポンプ（２）が取り付けられることを特徴とする自在継手。
【請求項２】
前記押釦（３）は４つの皿ねじ（４）を介して吸盤（１）に固定されることを特徴とする請求項１に記載の自在継手。
【請求項３】
前記回転可能なＵ字形金具（２２）と押釦（３）との間にプレーンベアリング（５）が設置され、Ｔ字形リベット（８）はプレーンベアリング（５）を挿通して吸盤（１）に接続され、Ｔ字形リベット（８）にはフラットパッド（１２）が挿設され、フラットパッド（１２）は押釦（３）と吸盤（１）との間に設置されることを特徴とする請求項１に記載の自在継手。
【請求項４】
前記回転可能なＵ字形金具（２２）と押釦（３）との間にプレーンベアリング（５）が設置され、Ｔ字形リベット（８）はプレーンベアリング（５）を挿通して吸盤（１）に接続され、Ｔ字形リベット（８）にはフラットパッド（１２）が挿設され、フラットパッド（１２）は押釦（３）と吸盤（１）との間に設置されることを特徴とする請求項２に記載の自在継手。
【請求項５】
前記グラブねじ軸（７）は回転可能なＵ字形金具（２２）の２つの側板の回転孔（２２−１）を挿通して、締め用グラブねじ（６）にネジ接続されることを特徴とする請求項３に記載の自在継手。
【請求項６】
前記吸引ポンプ（２）は押釦（３）と吸盤（１）との間に挟持されて固定されることを特徴とする請求項５に記載の自在継手。
【考案の詳細な説明】
【技術分野】
【０００１】
本考案は自在継手、特に、構造の改良された自在継手に関する。
【背景技術】
【０００２】
従来の同タイプの継手においては、接続や固定が不便である。例えば、平面状部材との取り付けや接続が不便である。  
【考案の概要】
【考案が解決しようとする課題】
【０００３】
本考案が解決しようとする技術的課題は、従来の技術の不足に鑑みて、構造の改良された自在継手を提供する。
【課題を解決するための手段】
【０００４】
上記目的を実現するために、本考案は以下の解決手段を採用する。
押釦と回転可能なＵ字形金具を含む構造の改良された自在継手であって、前記押釦は吸盤に固定され、押釦の吸盤からの遠位端の一側はＴ字形リベットを介して回転可能なＵ字形金具に回動可能に接続され、回転可能なＵ字形金具のＵ字形開口部は押釦と反対の側に向けて設置され、回転可能なＵ字形金具の２つの側板には貫通している回転孔がいずれも開設され、回転孔内にはグラブねじ軸が挿通され、Ｔ字形リベットはグラブねじ軸に垂直に設置され、吸盤には吸盤内の空気を吸引除去する吸引ポンプが取り付けられ、
前記押釦は４つの皿ねじを介して吸盤に固定され、
【０００５】
前記回転可能なＵ字形金具と押釦との間にプレーンベアリングが設置され、Ｔ字形リベットはプレーンベアリングを挿通して吸盤に接続され、Ｔ字形リベットにはフラットパッドが挿設され、フラットパッドは押釦と吸盤との間に設置され、
前記グラブねじ軸は回転可能なＵ字形金具の２つの側板の回転孔を挿通して、締め用グラブねじにネジ接続され、
前記吸引ポンプは押釦と吸盤との間に挟持されて固定される。
【０００６】
本考案の有益な効果は、実用的で低コストであり、滑らかな平面であればどこでも取り付けて接続して使用できる斬新な構造を提供し、平面状部材との接続により自在回転ができることに最適することである。
【図面の簡単な説明】
【０００７】
【図１】本考案の分解構造を示す図である。
【考案を実施するための形態】
【０００８】
押釦３と回転可能なＵ字形金具２２とを含む構造の改良された自在継手であって、前記押釦３は吸盤１に固定され、押釦３の吸盤１からの遠位端の一側はＴ字形リベット８を介して回転可能なＵ字形金具２２に回動可能に接続され、回転可能なＵ字形金具２２のＵ字形開口部は押釦３と反対の側に向けて設置され、回転可能なＵ字形金具２２の２つの側板にはいずれも貫通している回転孔２２−１が開設され、回転孔２２−１内にはグラブねじ軸７が挿通され、Ｔ字形リベット８はグラブねじ軸７に垂直に設置され、吸盤１には吸盤１内の空気を吸引除去する吸引ポンプ２が取り付けられる。
前記押釦３は４つの皿ねじ４を介して吸盤１に固定される。
【０００９】
前記回転可能なＵ字形金具２２と押釦３との間にプレーンベアリング５が設置され、Ｔ字形リベット８はプレーンベアリング５を挿通して吸盤１に接続され、Ｔ字形リベット８にはフラットパッド１２が挿設され、フラットパッド１２は押釦３と吸盤１との間に設置される。
前記グラブねじ軸７は回転可能なＵ字形金具２２の２つの側板の回転孔２２−１を挿通して、締め用グラブねじ６にネジ接続される。
前記吸引ポンプ２は押釦３と吸盤１との間に挟持されて固定される。
図１に示すように、例えば、本考案の構造によれば、テンショナーを滑らかな壁に固定することができる。
【００１０】
吸盤１を滑らかな平面に押し付け、吸引ポンプ２を用いて吸盤１内の空気を吸引除去することで、吸盤１は滑らかな壁に吸着され、本考案による固定を実現する。
【００１１】
テンショナーのケーシングはグラブねじ軸７に回動可能に接続され、テンショナー自体はグラブねじ軸７に沿って回動可能であり、回転可能なＵ字形金具２２はＴ字形リベット８に沿って回動可能であり、Ｔ字形リベット８をグラブねじ軸７に垂直に設置することにより、自在回転を実現する。
【００１２】
本考案によれば、滑らかな平面にほかの部品を接続することもできる。例えば、フックを回動可能にグラブねじ軸７に接続すれば、本考案に基づいて自在フックとして使用することができる。
【図１】
0003229055.tif 000003